(57)【要約】      （修正有）【課題】干し物がベランダの壁面などに直接触れて汚れるのを防止するとともに、効率的に乾燥することができる干し具であり、また未使用時には変形することにより屋外から見て目立ちにくくし、またベランダでの占有サイズも小さくすることも可能な干し具を提供する。【解決手段】固定ブラケット１１はベランダの壁天端２３の上面に固定されている。固定ブラケット１１の上部に水平方向に回転する回転プレート１１、支持バー１３があり、支持バー１３両端部には水平方向に回転する回転軸部品１５を介して水平バー１４がそれぞれ設置されている。支持バー１３の長さ寸法はベランダの壁２５の壁厚寸法よりも大きい。【選択図】図１
0003164305.tif 000002
【実用新案登録請求の範囲】
【請求項１】
ベランダの壁などに設けられる干し具であって、前記壁の天端などに取り付けられた固定ブラケットに回転プレート、支持バー、支持バーの両端には回転軸部品があり、回転軸部品には前記壁と平行に位置する対の水平バーが対で設けられ、対の水平バーどうしの水平間隔は使用時には前記壁厚寸法よりも大きく、未使用時には使用時よりも小さくなることを特徴とする干し具。
【考案の詳細な説明】
【技術分野】
【０００１】本考案は、布団などの干し具に関するものであり、特にベランダの壁面などを利用して干す場合に好適な干し具に関するものである。
【背景技術】
【０００２】団地などの集合住宅、一戸建て上階などでは布団などを干すにはベランダの壁、手摺などに掛けて干すことが一般的に行われている。以下、図４により従来の干し方について説明する。布団などの干し物２４をベランダの壁２１、ベランダの壁２２、ベランダの壁天端２３などに直接掛けるとそれらの汚れが付着したり、干し物内側の乾きが悪かったりすることがある。また干し具が常時ベランダの壁２１やベランダの壁２２より外側に張り出していると建物の美観を損ねたり、またベランダなどの他の利用時に邪魔になることがある。
【考案の概要】
【考案が解決しようとする課題】
【０００３】この考案は以上の点を解決しようとしたものである。ベランダの壁、手摺などを利用して布団などを干した時、壁などの汚れが付着せず、干し物内側についても効率的に乾燥することができ、また干し具のベランダなどでの占有サイズを小さくもできる構造にすることにより、未使用時においては屋外から目立たず建屋美観を損ねにくくし、またベランダなどのスペースを確保することも可能。これらの機能を合わせ持つ干し具を提供することを目的とする。
【課題を解決するための手段】
【０００４】前記目的を達成するため、本考案は、ベランダの壁などに設けられる干し具であって前記壁の天端などに取り付けられた固定ブラケットに回転プレート、支持バー、支持バーの両端には回転軸部品があり、回転軸部品には前記壁と平行に位置する対の水平バーが設けられ、対の水平バーどうしの水平間隔は使用時には前記壁厚寸法よりも大きく、未使用時には使用時よりも小さくなることを特徴とする。本考案の前記目的、特徴、利点は、以下の詳細な説明及び添付図面から明瞭になろう。
【図面の簡単な説明】
【０００５】
【図１】本考案の一実施形態を全体から示す斜視図である。
【図２】本考案の一実施形態を側面から示す斜視図である。
【図３】本考案の一実施形態の全体を示す斜視図である。
【図４】従来の一般的な一実施形態を示す断面図である。
【考案を実施するための形態】
【０００６】以下、本考案の実施の形態について詳細に説明する。図１は干し具の使用時の状態を示す。図１に示すように、本実施形態の干し具１０はベランダの壁天端２３に設置されており干し物などを干す。固定ブラケット１１はベランダの壁天端２３の上面に置かれ、ベランダの内壁２１及びベランダの外壁２２を挟み込むことにより固定されている。固定ブラケット１１の上部に水平方向に回転する回転プレート１２、その上に支持バー１３があり、支持バー１３両端部には水平方向に回転する回転軸部品１５を介して水平バー１４がベランダの壁２１、ベランダの壁２２と平行にベランダの内壁２１側に１本、ベランダの外壁２２側に１本設置されている。
【０００７】図２を参照して実施の形態を説明する。支持バー１３の長さ寸法はベランダの壁２５の壁厚寸法よりも大きいため支持バー１３はベランダの壁２１、ベランダの壁２２と直角方向に位置した時には、それぞれの水平バー１４はベランダの内壁２１、ベランダの外壁２２よりもそれぞれ外側へ張り出した位置となる。そのため２本の水平バー１４に干し物を干すとベランダの壁２１、ベランダの壁２２とは一定の距離が存在するため干し物２４はベランダ内壁２１及びベランダ外壁２２に直接触れて汚れることなく、また通気性に富むため効率的に乾燥することができる。
【０００８】次に図３を参照して実施の形態を説明する。図３は干し具の未使用時の状態を示す。水平バー１４は水平方向に回転する回転軸部品１５、及び水平方向に回転する回転プレート１２の回転機構により、それらの軸上を回転し、同時に水平方向に移動することが可能である。そのためそれぞれの水平バー１４はともにベランダの壁天端２３の上面付近に水平移動をしてそれらはともに隣接した位置関係となる。つまり、それぞれの水平バー１４のベランダの内壁２１及びベランダ外壁２２からの張り出し寸法は減少し、屋外から見て水平バー１４は目立たず建屋美観を損ねにくくなり、またベランダでの占有サイズも小さくすることが可能となる。
【０００９】「他の実施形態」
図１、図２、図３の実施形態では水平バーの移動について、水平方向の移動であったが、垂直方向に移動できるようにしたもの、伸縮して移動できるようにしたもの、スライドして移動できるようにしたものでも良い。
【考案の効果】
【０００１０】以上説明したように、本考案によれば、ベランダなどの壁に、その表裏壁面よりも張り出すように水平バーを設けることとしたので、前記水平バーに掛けられた干し物と壁面が直接触れることがなく、壁面の汚れが、干し物に付着するのを防止するとともに、干し物と壁面間の通気性が向上して効率的に乾燥することができる。また、未使用時には水平バーを壁の天端付近まで互いに近ずく機構を設けることとしたので、屋外からは目立たず建屋美観を損ねにくくなり、またベランダなどのスペースを確保することも可能となる。
【符号の説明】
【０００１１】１０  干し具
１１  固定ブラケット
１２  回転プレート
１３  支持バー
１４  水平バー
１５  回転軸部品
２０  ベランダの床
２１  ベランダの内壁
２２  ベランダの外壁
２３  ベランダの壁天端
２４  干し物
２５  ベランダの壁
【図１】
0003164305.tif 000003
【図２】
0003164305.tif 000004
【図３】
0003164305.tif 000005
【図４】
0003164305.tif 000006
【手続補正書】
【提出日】平成22年9月1日(2010.9.1)
【手続補正１】
【補正対象書類名】実用新案登録請求の範囲
【補正対象項目名】請求項１
【補正方法】変更
【補正の内容】
【請求項１】
ベランダの壁などに設けられる干し具であって、前記壁の天端などに取り付けられた複数の固定ブラケット、固定ブラケットの各上部に水平方向に回転する回転プレート、回転プレートの各上部に前記壁の厚み寸法よりも大きな長さ寸法の支持バー、各支持バー両端部上部には水平方向に回転する回転軸部品、前記壁の内側にある複数の回転軸部品の上部に水平バーが１本、前記壁の外側にある複数の回転軸部品の上部に水平バーが１本設置されており、回転プレート、及び回転軸部品の水平方向へ回転する機構により、使用時には各支持バーを前記壁と直角になる位置まで回転させると、各水平バーはそれぞれ前記壁に平行で、かつそれぞれ前記壁の内側、外側へ張り出す形となり、また、回転プレート、及び回転軸部品の水平方向へ回転する機構により、未使用時には各支持バーを前記壁と平行に近い位置まで回転させると、各水平バーはそれぞれ前記壁の天端上付近に寄り、前記壁と平行な形となることを特徴とする干し具。